(57)【特許請求の範囲】
【請求項１】
磁気共鳴撮影装置内の静磁場空間に勾配磁場を形成する勾配コイルに電流を供給する電流供給回路を収容する筐体であって、
当該筐体を構成する対向して位置する第１の面および第２の面と、
一方の端部が前記第１の面の端部に接合し、前記第１の面と前記第２の面との間に形成される空間の外側で前記第２の面に向けて傾斜し、通気孔を有する第３の面と、
前記第２の面の端部および前記第３の面の他方の端部と接合し、前記電流を供給するケーブルが接続されるコネクタを有する第４の面とを有する筐体。
【請求項２】
前記第４の面は、前記電流供給回路への電力供給用のケーブルが接続されるコネクタをさらに有する請求項１に記載の筐体。
【請求項３】
第１の筐体と、
磁気共鳴撮影装置内の静磁場空間に勾配磁場を形成する勾配コイルに供給する電流を生成する電流生成回路と、
前記第１の筐体内に設置され、前記電流生成回路を収容する第２の筐体とを有し、
前記第２の筐体は、
当該第２の筐体を構成する対向して位置する第１の面および第２の面と、
一方の端部が前記第１の面の端部に接合し、前記第１の面と前記第２の面との間に形成される空間の外側で前記第２の面に向けて傾斜し、通気孔を有する第３の面と、
前記第２の面の端部および前記第３の面の他方の端部と接合し、前記電流を供給するケーブルが接続されるコネクタを有する第４の面とを有する電流供給装置。
【請求項４】
前記第４の面は、前記電流供給回路への電力供給用のケーブルが接続されるコネクタをさらに有する請求項３に記載の電流供給装置。
【請求項５】
ｘ方向の勾配磁場を形成する勾配磁場コイルに電流を供給する第１の電流供給回路と、
ｙ方向の勾配磁場を形成する勾配磁場コイルに電流を供給する第２の電流供給回路と、
ｚ方向の勾配磁場を形成する勾配磁場コイルに電流を供給する第３の電流供給回路と、
前記第１の電流供給回路、前記第２の電流供給回路および前記第３の電流供給回路をそれぞれ収容する３つの前記第２の筐体とを有する請求項３又は４に記載の電流供給装置。
【請求項６】
前記第１〜第３の電流供給回路に電力を供給する電源回路と、
前記電源回路を収容し、前記第１の筐体内に収容された第３の筐体とをさらに有する請求項５に記載の電流供給装置。
【請求項７】
静磁場および勾配磁場が形成された空間で撮影対象に高周波磁場を印加して得た磁気共鳴信号に基づいて画像を構成する磁気共鳴撮影装置において、
第１の筐体と、
前記勾配磁場を形成する勾配磁場コイルに電流を生成する電流生成回路と、
前記第１の筐体内に設置され、前記電流生成回路を収容する第２の筐体とを有し、
前記第２の筐体は、
当該第２の筐体を構成する対向して位置する第１の面および第２の面と、
一方の端部が前記第１の面の端部に接合し、前記第１の面と前記第２の面との間に形成される空間の外側で前記第２の面に向けて傾斜し、通気孔を有する第３の面と、
前記第２の面の端部および前記第３の面の他方の端部と接合し、前記電流を供給するケーブルが接続されるコネクタを有する第４の面とを有する磁気共鳴撮影装置。
【請求項８】
前記第４の面は、前記電流供給回路への電力供給用のケーブルが接続されるコネクタをさらに有する請求項７に記載の磁気共鳴撮影装置。
【請求項９】
ｘ方向の勾配磁場を形成する勾配磁場コイルに電流を供給する第１の電流供給回路と、
ｙ方向の勾配磁場を形成する勾配磁場コイルに電流を供給する第２の電流供給回路と、
ｚ方向の勾配磁場を形成する勾配磁場コイルに電流を供給する第３の電流供給回路と、
前記第１の電流供給回路、前記第２の電流供給回路および前記第３の電流供給回路をそれぞれ収容する３つの前記第２の筐体とを有する請求項７または請求項８に記載の磁気共鳴撮影装置。
【請求項１０】
前記第１〜第３の電流供給回路に電力を供給する電源回路と、
前記電源回路を収容し、前記第１の筐体内に収容された第３の筐体とをさらに有する請求項９に記載の磁気共鳴撮影装置。
【発明の詳細な説明】
【０００１】
【発明の属する技術分野】
本発明は、静磁場空間に被検体を収容し、磁気共鳴を利用して被検体の被検部位を撮影する磁気共鳴撮影装置に、勾配磁場を形成するための電流を供給する電流供給回路を収容する筐体、当該筐体を用いた電流供給装置、並びに磁気共鳴撮影装置に関する。
【０００２】
【従来の技術】
磁気共鳴撮影処理では、1繰り返し時間（１ＴＲ: repetition time）毎に励起パルスで被検体内のスピン（ｓｐｉｎ）を励起し、それによって生じる磁気共鳴信号を、たとえばエコー（ｅｃｈｏ）として２次元フーリエ空間に収集する。
磁気共鳴信号には、いわゆるビュー（ｖｉｅｗ）毎に異なる位相エンコードを付与し、２次元フーリエ空間において位相軸上の位置が異なる複数のビューのエコーデータをそれぞれ収集する。
そして、収集した全ビューのエコーデータを２次元逆フーリエ変換することにより、画像を再構成する。
【０００３】
このような磁気共鳴撮影処理を行う磁気共鳴撮影装置は、被検体を収容する内部空間（ボア）を有するマグネットシステムを有している。
マグネットシステムは、ボア内に静磁場を形成する主磁場マグネットと、主磁場マグネットが形成した静磁場の強度に勾配を付けるための勾配磁場を形成する勾配コイルと、主磁場マグネットが形成した静磁場空間内で、被検体内にスピンを励起するための高周波磁場を形成するＲＦコイルを有している。
【０００４】
勾配コイルには、X方向の勾配磁場を形成するためのＧxコイルと、Y方向の勾配磁場を形成するためのＧyコイルと、Z方向の勾配磁場を形成するためのＧzコイルとがある。
Gxコイル、GyコイルおよびGzコイルには、磁気共鳴撮影装置とは別に設けられた勾配アンプ装置から、それぞれＧxパルス電流、Ｇyパルス電流およびＧzパルス電流が供給される。
【０００５】
勾配アンプ装置は、例えば、最外周の主筐体内に、Ｇx用筐体と、Ｇy用筐体と、Ｇz用筐体と、電源用筐体とを上から下に向けて順に配設している。
Ｇx用筐体内には、Ｇxコイルに電流を供給するためのＧxアンプ回路が収容されている。Ｇy用筐体内には、Ｇyコイルに電流を供給するためのＧyアンプ回路が収容されている。Ｇz用筐体内には、Ｇzコイルに電流を供給するためのＧzアンプ回路が収容されている。Ｇx用筐体、Ｇy用筐体およびＧz用筐体は、同じ構成をしている。
電源用筐体内には、各アンプ回路に電力を供給する電源回路が収容されている。
【０００６】
図１３はＧx用筐体２００の外観図、図１４はＧx用筐体２００と主筐体２０１との位置関係を説明するための図である。
図１３および図１４に示すように、Ｇx用筐体２００は、中空の略直方体のケースであり、主筐体２０１の内面と対向した平面の側面に、通気孔２１０と、コネクタ２２０，２２１，２２２とが配設されている。
コネクタ２２０には、Ｇx用筐体２００の下方に位置する電源回路から電力の供給を受けるためのケーブル２２５が接続される。
コネクタ２２１には、ＧxコイルにＧxパルス電流を出力するケーブル２２６が接続される。
コネクタ２２１には、ＧxコイルからＧxパルス電流を入力するケーブル２２６７が接続される。
図１３に示すＧx用筐体２００のｘ、ｙ、ｚ方向の寸法Ｘ１、Ｙ１、Ｚ１は、それぞれ４１３ｍｍ、２００ｍｍ、６９０ｍｍである。
【０００７】
【発明が解決しようとする課題】
ところで、上述した従来の勾配アンプ装置には、装置の小型化、並びに他の装置とのコンパティビリティの観点から、Ｇx用筐体、Ｇy用筐体およびＧz用筐体の厚み（図１３および図１４中上下方向の幅）を薄くしたいという要請がある。
この場合に、図１４に示すように、Ｇxアンプ回路に接続されるケーブル２２５を、電源回路が位置する下方に向けて曲げるために、Ｇx用筐体２００と主筐体２００との間には２００ｍｍ以上の距離を設ける必要があり、Ｇx用筐体２００の図１４中横方向の幅を広げることが困難である。そのため、Ｇx用筐体２００の厚みを薄くした場合に、Ｇxアンプ回路を構成する全ての電子部品をＧx用筐体２００に収容することができないという問題がある。
また、Ｇx用筐体、Ｇy用筐体およびＧz用筐体の厚みを薄くした場合に、十分な大きさの通気孔１２０を設けることが困難になり、アンプ回路の冷却が不十分になるという問題がある。
これらの問題は、Ｇy用筐体およびＧz用筐体についても同様である。
そのため、従来では、Ｇx用筐体、Ｇy用筐体およびＧz用筐体の厚みを十分に薄くできない。
【０００８】
本発明は、かかる事情に鑑みてなされたものであり、勾配コイルに電流を供給する電流供給回路を収容し、厚みを従来に比べて薄くできる筐体、並びに当該筐体を用いた電流供給装置および磁気共鳴撮影装置を提供することを目的とする。
【０００９】
【課題を解決するための手段】
上記目的を達成するため、第１の発明の筐体は、電流供給回路を収容する筐体であって、当該筐体を構成する対向して位置する第１の面および第２の面と、一方の端部が前記第１の面の端部に接合し、前記第１の面と前記第２の面との間に形成される空間の外側で前記第２の面に向けて傾斜し、通気孔を有する前記第３の面と、前記第２の面の端部および前記第３の面の他方の端部と接合し、前記電流を供給するケーブルが接続されるコネクタを有する第４の面とを有する。
【００１０】
第１の発明の筐体では、第３の面と第４の面とを上述したように構成することで、第３の面に十分な大きさの通気孔を設けながら、筐体の厚みを従来に比べて薄くできる。すなわち、第１の面と第２の面との距離を短くできる。また、第１の面と第２の面とによって形成される空間に加えて、第３の面と第４の面とによって形成する空間内に、電流供給回路の構成要素を配置可能となり、筐体の厚みを薄くしても、電流供給回路の全ての構成要素を収容できる。
【００１１】
また、第１の発明の筐体は、好ましくは、前記第４の面は、前記電流供給回路への電力供給用のケーブルが接続されるコネクタを有する。
【００１２】
また、第２の発明の電流供給装置は、第１の筐体と、電流を生成する電流生成回路と、前記第１の筐体内に設置され、前記電流生成回路を収容する第２の筐体とを有し、前記第２の筐体は、当該第２の筐体を構成する対向して位置する第１の面および第２の面と、一方の端部が前記第１の面の端部に接合し、前記第１の面と前記第２の面との間に形成される空間の外側で前記第２の面に向けて傾斜し、通気孔を有する前記第３の面と、前記第２の面の端部および前記第３の面の他方の端部と接合し、前記電流を供給するケーブルが接続されるコネクタを有する第４の面とを有する。
【００１３】
また、第２の発明の電流供給装置は、好ましくは、前記第４の面は、前記電流供給回路への電力供給用のケーブルが接続されるコネクタをさらに有する。
【００１４】
また、第２の発明の電流供給装置は、好ましくは、スライス勾配磁場コイルに電流を供給する第１の電流供給回路と、リードアウト勾配磁場コイルに電流を供給する第２の電流供給回路と、フェーズエンコード勾配磁場コイルに電流を供給する第３の電流供給回路と、前記第１の電流供給回路、前記第２の電流供給回路および前記第３の電流供給回路をそれぞれ収容する３つの前記第２の筐体とを有する。
また、第２の発明の電流供給装置は、好ましくは、前記第１〜第３の電流供給回路に電力を供給する電源回路と、前記電源回路を収容し、前記第１の筐体内に収容された第３の筐体とをさらに有する。
【００１５】
また、第３の発明の磁気共鳴撮影装置は、静磁場および勾配磁場が形成された空間で撮影対象に高周波磁場を印加して得た磁気共鳴信号に基づいて画像を構成する磁気共鳴撮影装置であって、第１の筐体と、前記勾配磁場を形成する勾配磁場コイルに電流を生成する電流生成回路と、前記第１の筐体内に設置され、前記電流生成回路を収容する第２の筐体とを有し、前記第２の筐体は、当該第２の筐体を構成する対向して位置する第１の面および第２の面と、一方の端部が前記第１の面の端部に接合し、前記第１の面と前記第２の面との間に形成される空間の外側で前記第２の面に向けて傾斜し、通気孔を有する前記第３の面と、前記第２の面の端部および前記第３の面の他方の端部と接合し、前記電流を供給するケーブルが接続されるコネクタを有する第４の面とを有する。
【００１６】
【発明の実施の形態】
以下、本発明の実施形態に係る磁気共鳴撮影システムについて図面に関連付けて説明する。
【００１７】
第１実施形態
図１は本発明に係る磁気共鳴撮影装置を採用した磁気共鳴撮影（ＭＲＩ：Magnetic Resonance Imaging）システムのレイアウトを説明するための図、図２は本発明に係るＭＲＩシステムの構成図である。
【００１８】
本実施形態に係るＭＲＩシステム１０では、図１に示すように、マグネットからの放射電磁波の洩漏や外乱電磁波の進入を防止する閉空間を形成したスキャンルーム１１内にＭＲＩ装置２０が配設され、スキャンルーム１１に隣接して設けられた操作ルーム１２内にオペレータＯＰが操作するオペレータコンソール３０が配設されている。
また、スキャンルーム１１および操作ルーム１２に隣接してマシンルーム１３が並設されており、このマシンルーム１３内に、ＲＦアンプ装置２２および勾配アンプ装置２３が配設されている。
スキャンルール１１と操作ルーム１２とは壁１４で仕切られており、壁１４にはドア１５および窓ガラス１６が設けられている。
【００１９】
ＭＲＩ装置２０は、図２に示すように、マグネットシステム２１、データ収集部２４およびクレードル２６有している。
【００２０】
マグネットシステム２１は、図２に示すように、概ね円柱状の内部空間（ボア：ｂｏｒｅ）２１１を有し、ボア２１１内には、クッションを介して被検体５０を載せたクレードル２６が図示しない搬送部によって搬入される。
【００２１】
マグネットシステム２１内には、図２に示すように、ボア２１１内のマグネットセンタ（走査する中心位置）の周囲に、主磁場マグネット部２１２、勾配コイル部２１３、およびＲＦコイル部２１４が配置されている。
【００２２】
主磁場マグネット部２１２、勾配コイル部２１３、およびＲＦコイル部２１４のそれぞれは、検査時に被検体５０が位置するボア２１１内の空間を挟んで対向する１対のコイルからなる。
【００２３】
マシンルーム１３に配置されたＲＦアンプ装置２２からは高周波磁場を形成するための高周波電流がケーブル１６５を介してＲＦコイル部２１４に供給される。
また、勾配アンプ装置２３からは、勾配磁場を形成するためのパルス電流が、ケーブル１６６＿Ｇx，１６６＿Ｇy，１６６＿Ｇzを介して勾配コイル部２１３に供給される。
【００２４】
図３は、本実施形態に係るマグネットシステム２１における主磁場マグネット部２１２、勾配コイル部２１３、およびＲＦコイル部２１４の配置構成例を説明するための図である。
【００２５】
マグネットシステム２１は、図３に示すように、空間Ｓ（ボア２１１）を介して対向するように上ヨーク２１５と下ヨーク２１６が配置され、上ヨーク２１５と下ヨーク２１６はサイドヨーク２１７によって接続されている。
上ヨーク２１５、下ヨーク２１６が対向しているそれぞれの面に、主磁場マグネット部２１２を構成する主磁場マグネット２１２ａ，２１２ｂが設けられている。
そして、上ヨーク２１５、下ヨーク２１６、サイドヨーク２１７、および一つの主磁場マグネット２１２ａ，２１２ｂによりボア２１１内に静磁場を発生する磁気回路が形成されている。
【００２６】
このように、主磁場マグネット部２１２は、ボア２１１内に静磁場を形成する。静磁場の方向は、たとえば概ね被検体５０の体軸方向と平行または垂直である。すなわち、平行磁場を形成する。主磁場マグネット部２１２を構成する主磁場マグネット２１２ａ，２１２ｂは、たとえば超伝導電磁石、あるいは永久磁石や常伝導電磁石などを用いて構成される。
【００２７】
主磁場マグネット２１２ａと２１２ｂが対向しているそれぞれの面には、勾配コイル部２１３が設けられている。
具体的には、主磁場マグネット２１２ａと２１２ｂが対向しているそれぞれの面に、勾配コイル部２１３に含まれる被検体５０が挿入されるボア２１１の静磁場を均一にする一対のポールピース２１８ａ，２１８ｂが設けられている。
一対のポールピース２１８ａ，２１８ｂの内部空間には、勾配磁場を発生する一対の勾配コイル２１３ａ，２１３ｂと、静磁場の均一性を調整するためのパッシブボート２１９ａ，２１９ｂとが積層して設けられている。
【００２８】
このような構成を有する勾配コイル部２１３は、ＲＦコイル部２１４が受信する磁気共鳴信号に３次元の位置情報を持たせるために、主磁場マグネット部２１２が形成した静磁場の強度に勾配を付ける勾配磁場を発生する。
勾配コイル部２１３は、図４に示すように、Ｘ方向の勾配磁場を形成するためのＧxコイル２５０と、Ｙ方向の勾配磁場を形成するためのＧyコイル２５１と、Ｚ方向の勾配磁場を形成するためのＧzコイル２５２とから構成される。
【００２９】
本実施形態では、Ｇxコイル２５０へのＧxパルス電流の供給、Ｇyコイル２５１へのＧyパルス電流の供給、並びにＧzコイル２５２へのＧzパルス電流の供給は、オペレータコンソール３０の処理部３１からの制御信号Ｓ１６１に基づいて、図１および図２に示す勾配アンプ装置２３によって行われる。
【００３０】
また、一対の勾配コイル部２１３の対向するそれぞれの面には、一対の収容部２２０ａ，２２０ｂが形成され、これら一対の収容部２２０ａ，２２０ｂの空間内に、ＲＦコイル２１４ａ，２１４ｂが設けられている。
【００３１】
この一対の収容部２２０ａ，２２０ｂおよびＲＦコイル２１４ａ，２１４ｂを有するＲＦコイル部２１４は、主磁場マグネット部２１２が形成した静磁場空間内で被検体５０の体内のスピンを励起するための高周波磁場を形成する。ここで、高周波磁場を形成することをＲＦ励起信号の送信という。ＲＦコイル部２１４は、励起されたスピンが生じる電磁波を磁気共鳴信号として受信する。
ＲＦコイル部２１４は、図示しない送信用コイルおよび受信用コイルを有する。送信用コイルおよび受信用コイルは、同じコイルを兼用するかあるいはそれぞれ専用のコイルを用いる。
【００３２】
本実施形態では、ＲＦ励起信号を発生させるために、図１および図２に示すＲＦアンプ装置２２からＲＦコイル部２１４に、処理部３１からの制御信号Ｓ１６０に基づいてパルス電流ＲＦ＿ＤＲ１が供給される。
【００３３】
データ収集部２４は、ＲＦコイル部２１４が受信した受信信号を取り込み、それをビューデータ（ｖｉｅｗ  ｄａｔａ）として収集して、オペレータコンソール３０の処理部３１に出力する。
【００３４】
オペレータコンソール３０は、図２に示すように、処理部３１、操作部３２、および表示部３３を有している。
【００３５】
処理部３１は、被検体５０の被検部位に対応した実行すべきプロトコルに即して、あらかじめ決められた繰り返し時間ＴＲ内において所定のパルスシーケンスが所定回数繰り返されるパルス電流ＲＦ＿ＤＲ１をＲＦコイル部２１４に印加するように、制御信号Ｓ１６０によってＲＦアンプ装置２２を制御する。
同様に、処理部３１は、実行すべきプロトコルに即して、１ＴＲ内に、所定のパターンのＧx，Ｇy，Ｇzパルス電流をＧxコイル２５０、Ｇy勾配磁場用コイル２５１およびＧz勾配磁場用コイル２５２に印加するように、制御信号Ｓ１６１によって勾配アンプ装置２３を制御する。
また、処理部３１は、ＲＦコイル部２１４が受信した受信信号を取り込み、それをビューデータ（ｖｉｅｗ  ｄａｔａ）として収集して、オペレータコンソール３０の処理部３１に出力するように、制御信号Ｓ３１ａによってデータ収集部２４を制御する。
【００３６】
なお、処理部３１が実行すべきプロトコルは、磁気共鳴撮影を行うために、被検体５０の被検部位に対応して定められており、各プロトコル毎に、１ＴＲ（繰り返し時間）内におけるパルスシーケンスの繰り返し回数が異なる。
【００３７】
この磁気共鳴撮影用パルスシーケンスは、いわゆるスピンエコー（ＳＥ：Ｓｐｉｎ  Ｅｃｈｏ）法、グラディエントエコー（ＧYＥ：ＧYａｄｉｅｎｔ  Ｅｃｈｏ）法、ファーストスピンエコー（ＦＳＥ：Ｆａｓｔ  Ｓｐｉｎ  Ｅｃｈｏ）法、ファーストリカバリＦＳＥ（Ｆａｓｔ  Ｒｅｃｏｖｅｒｙ  Ｓｐｉｎ  Ｅｃｈｏ）法、エコープラナー・イメージング（ＥＰＩ：Ｅｃｈｏ  Ｐｌａｎａｒ
Ｉｍａｇｉｎｇ）法等、各撮影方法によって異なる。
【００３８】
ここで、各撮影方法のパルスシーケンスのうち、ＳＥ法のパルスシーケンスについて、図５に関連付けて説明する。
図５（ａ）はＳＥ法におけるＲＦ励起用の９０°パルスおよび１８０°パルスのシーケンスであり、ＲＦアンプ装置２２がＲＦコイル部２１４に印加するパルス電流ＲＦ＿ＤＲ１に相当する。
図５（ｂ）、（ｃ）、（ｄ）、および（ｅ）は、それぞれＧｓパルス電流、Ｇｒパルス電流、Ｇｐパルス電流、およびスピンエコーＭＲのシーケンスである。
Gｓパルス電流はスライス（ｓｌｉｃｅ）勾配磁場を形成するためのパルス電流であり、Gｒパルス電流はリードアウト（ｒｅａｄ  ｏｕｔ）勾配磁場を形成するためのパルス電流であり、Gpパルス電流はフェーズエンコード（ｐｈａｓｅ
ｅｎｃｏｄｅ）勾配磁場を形成するためのパルス電流である。
【００３９】
図５（ａ）に示すように、ＲＦアンプ装置２２によりＲＦコイル部２１４に対して９０°パルス電流が印加され、スピンの９０°励起が行われる。このとき、図５（ｂ）に示すように、勾配アンプ装置２３によってＧxコイル２５０、Ｇｙコイル２５１およびGzコイル２５２の任意のコイルに対してＧzパルス電流が印加され、所定のスライスについて選択励起が行われる。
図５（ａ）に示すように、９０°励起から所定の時間後に、ＲＦアンプ装置２２によってＲＦコイル部２１４に対して１８０°パルス電流が印加され、１８０°励起、すなわちスピン反転が行われる。このときも、図５（ｂ）に示すように、勾配アンプ装置２３によってGxコイル２５０、Gyコイル２５１およびGzコイル２５２の任意のコイルに対してＧｓパルス電流が印加され、同じスライスについて選択的な反転が行われる。
【００４０】
図５（ｃ）および（ｄ）に示すように、９０°励起とスピン反転の間の期間に、勾配アンプ装置２３によってGｘコイル２５０、Gyコイル２５１およびGzコイル２５２の任意のコイルに対してＧｒパルス電流が印加され、勾配アンプ装置２３によりGxコイル２５０、Gyコイル２５１およびGzコイル２５２の任意のコイルに対してＧｐパルス電流が印加される。
そして、Ｇrパルス電流によってスピンのディフェーズが行われ、Ｇpパルス電流によってスピンのフェーズエンコードが行われる。
【００４１】
スピン反転後、図５（ｂ）に示すように、勾配アンプ装置２３によってGxコイル２５０、Gyコイル２５１およびGzコイル２５２の任意のコイルに対してＧｒパルス電流が印加されて、リフェーズされて、図５（ｅ）に示すように、スピンエコーＭＲが発生される。
このスピンエコーＭＲは、データ収集部２４によりビューデータとして収集される。
【００４２】
処理部３１は、このようなパルスシーケンスで、実行プロトコルに応じて、周期ＴＲでたとえば６４〜５１２回繰り返すように、制御信号Ｓ３１ａ，Ｓ１６０，Ｓ１６１をそれぞれＲＦアンプ装置２２、勾配アンプ装置２３およびデータ収集部２４に出力して、これらを制御する。
また、処理部３１は、繰り返しのたびに、Ｇzパルス電流を変更し、毎回異なるフェーズエンコードを行うように、制御を行う。
なお、オペレータコンソール３０とＲＦアンプ装置２２との間には制御信号Ｓ１６０を伝送するためのケーブル１６０が配設され、オペレータコンソール３０と勾配アンプ装置２３との間には制御信号Ｓ１６１を伝送するためのケーブル１６１が配設されている。
また、ＲＦアンプ装置２２とマグネットシステム２１との間には、パルス電流ＲＦ＿ＤＲ１を伝送するためのケーブル１６５が配設されている。
また、ＲＦアンプ装置２２とマグネットシステム２１との間には、Ｇxパルス電流伝送用のケーブル１６６＿Ｇxと、Ｇyパルス電流伝送用のケーブル１６６＿Ｇyと、Ｇzパルス電流伝送用のケーブル１６６＿Ｇzとが配設されている。
【００４３】
また、処理部３１は、データ収集部２４から取り込んだデータをメモリに記憶する。メモリ内にはデータ空間が形成される。メモリに形成されるデータ空間は、２次元フーリエ空間を構成する。
処理部３１は、これら２次元フーリエ空間のデータを２次元逆フーリエ変換して被検体５０の画像を生成（再構成）する。
なお、２次元フーリエ空間をｋスペースともいう。
【００４４】
処理部３１には、操作部３２、および表示部３３が接続されている。
【００４５】
操作部３２は、ポインティングデバイスを備えたキーボードやマウス等により構成され、オペレータＯＰの操作に応じた操作信号を処理部３１に出力する。また。操作部３２からは、たとえば上述した実行すべきプロトコルの入力が行われる。
【００４６】
表示部３３は、グラフィックディスプレイ等により構成され、操作部３２からの操作信号に応じて、ＭＲＩ装置２０の動作状態に応じた所定の情報を表示する。
【００４７】
以下、図１および図２に示す勾配アンプ装置２３について詳細に説明する。
図６は勾配アンプ装置２３の側面側の構成を説明するための図、図７は勾配アンプ装置２３の背面を説明するための図である。
図６および図７に示すように、勾配アンプ装置２３は、直方体の主筐体１００内に、上から順にＧx用筐体１０１、Ｇy用筐体１０２、Ｇz用筐体１０３、電源用筐体１０４を収容している。
ここで、勾配アンプ装置２３が本発明の電流供給装置に対応し、主筐体１００が本発明の第１の筐体に対応し、Ｇx用筐体１０１、Ｇy用筐体１０２およびＧz用筐体１０３が本発明の第２の筐体に対応している。
主筐体１００には、複数の通気孔１８０が設けられている。
また、主筐体１００内には、複数の支柱１１０が設けられている。
【００４８】
Ｇx用筐体１０１、Ｇy用筐体１０２、Ｇz用筐体１０３および電源用筐体１０４は、主筐体１００内で支柱１１０に固定されている。
Ｇx用筐体１０１は、Ｇx電流を生成するＧx電流アンプ回路１１１を収容している。ここで、Ｇx電流アンプ回路１１１が本発明の第１の電流供給回路に対応している。
Ｇy用筐体１０２は、Ｇy電流を生成するＧy電流アンプ回路１１２を収容している。ここで、Ｇy電流アンプ回路１１２が本発明の第２の電流供給回路に対応している。
Ｇz用筐体１０３は、Ｇz電流を生成するＧz電流アンプ回路１１３を収容している。ここで、Ｇz電流アンプ回路１１３が本発明の第３の電流供給回路に対応している。
電源用筐体１０４は、電源回路１１４を収容している。
Ｇx用筐体１０１、Ｇy用筐体１０２およびＧz用筐体１０３は、同じ構成をしている。
【００４９】
以下、Ｇx用筐体１０１について説明する。
図８および図９は、Ｇx用筐体１０１の外観図である。
図８および図９に示すように、Ｇx用筐体１０１は、面１２０〜１２６によって構成される。
ここで、面１２０が本発明の第１の面に対応し、面１２１が本発明の第２の面に対応し、面１２５が本発明の第３の面に対応し、面１２６が本発明の第４の面に対応している。
面１２０と１２１とは同じ形状を有し対向して位置する。また、面１２２と面１２３とは同じ形状を有し対向して位置する。
面１２２および１２３には、それぞれ通気孔１２２ａおよび１２３ａが設けられている。
面１２４には、面１２０と１２１との間に形成される空間内に収容されたヒートシンク１５０の端部が露出している。
また、面１２４には、図２に示すオペレータコンソール３０の処理部３１と通信を行うためのケーブル１６１が接続されるコネタク１３０が設けられている。
【００５０】
面１２５は、一方の端部が面１２０の端部に接合し、その反対側の他方の端部が面１２６の端部と接合し、面１２０と面１２１との間に形成される空間の外側で面１２１に向けて傾斜している。
また、面１２５は、面１２２および面１２３の端部にも接合している。
面１２５には、通気孔１２６ａが設けられている。
【００５１】
また、面１２６は、面１２１の端部および面１２５の他方の端部と接合している。
また、面１２６は、面１２２および面１２３の端部にも接合している。
面１２６には、電源回路１１４からの電力供給用のケーブル１５５＿１が接続されるコネクタ１４０と、Ｇxコイル２５０にＧxパルス電流を出力するコネクタ１４１ａと、Ｇxコイル２５０からＧxパルス電流を入力するコネクタ１４１ｂとが設けられている。すなわち、コネクタ１４１ａおよびコネクタ１４１ｂには、図１に示すケーブル１６６＿Ｇxが接続される。
【００５２】
本実施形態では、図８に示すように、例えば、面１２０と面１２５との間の内角は１５０度であり、面１２５と面１２６との間の内角は９０度であり、面１２６と面１２１との間の内角は１２０度である。
また、図８に示すＧx用筐体１０１のｘ、ｙ、ｚ方向の寸法Ｘ２、Ｙ２、Ｚ２は、それぞれ４０１ｍｍ、１２９ｍｍ、７００ｍｍである。
【００５３】
図１０は、Ｇx用筐体１０１に収容されたＧx電流アンプ回路１１１の外観図である。
図１０に示すように、Ｇx用筐体１０１内には、Ｇx電流アンプ回路１１１を構成するヒートシンク１５０、コンデンサ１５１およびコントローラ１５２などが配設されている。
【００５４】
以上、Ｇx用筐体１０１の構成について詳細に述べたが、Ｇy用筐体１０２およびＧz用筐体１０３もＧx用筐体１０１と同じ構成を有している。但し、Ｇy用筐体１０２の面１２６には、電源回路１１４からの電力供給用のケーブル１５５＿２が接続されるコネクタ１４０と、Ｇyコイル２５１にＧyパルス電流を出力するコネクタ１４１ａと、Ｇyコイル２５１からＧyパルス電流を入力するコネクタ１４１ｂとが設けられている。また、Ｇz用筐体１０３の面１２６には、電源回路１１４からの電力供給用のケーブル１５５＿３が接続されるコネクタ１４０と、Ｇzコイル２５２にＧzパルス電流を出力するコネクタ１４１ａと、Ｇzコイル２５２からＧzパルス電流を入力するコネクタ１４１ｂとが設けられている。
【００５５】
以下、図１に示すＭＲＩシステム１０の動作を、図１１のフローチャートに関連付けて説明する。
【００５６】
ステップＳＴ１：
クッションを介してクレードル２６上に載せられた被検体５０が、図示しない搬送部によって、ＭＲＩ装置２０のマグネットシステム２１のボア２１１内に搬入される。
【００５７】
ステップＳＴ２：
被検体５０の被検部位をボア２１１内のマグネットセンタに位置させる。このとき、マグネットセンタを含むボア２１１内の所定の領域には、主磁場マグネット部２１２による静磁場が形成されている。
【００５８】
そして、オペレータＯＰによる操作に応じて生成された制御信号Ｓ１６０に基づいて、ＲＦアンプ装置２２からケーブル１６５を介してパルス電流ＲＦ＿ＤＲ１が供給され、ＲＦコイル部２１４によって、静磁場内に高周波磁場が形成される。
また、オペレータＯＰによる操作に応じて生成された制御信号Ｓ１６１に基づいて、勾配アンプ装置２３からケーブル１６６＿Ｇx，１６６＿Ｇy，１６６＿Ｇzを介して、それぞれＧxパルス電流、Ｇyパルス電流およびＧzパルス電流が、Ｇxコイル２５０、Ｇyコイル２５１およびＧzコイル２５２に供給される。
これにより、静磁場内に勾配磁場が形成される。
そして、被検体５０の被検部位で励起されたスピンが生じる電磁波が磁気共鳴信号として取り出され、これがデータ収集部２４で収集され、検査結果のデータとしてオペレータコンソール３０の処理部３１に出力される。
すなわち、被検部位の撮像が行われる。
【００５９】
ステップＳＴ４：
処理部３１では、データ収集部２４から入力したデータがメモリに記憶され、メモリ内にデータ空間が形成される。処理部３１では、これら２次元フーリエ空間のデータを２次元逆フーリエ変換して被検体５０の被検部位の画像が生成（再構成）される。
【００６０】
ステップＳＴ５：
被検体５０の被検部位のデータ収集が完了すると、図示しない搬送部によって、クレードル２６と共に被検体５０がボア２１１の外に搬出される。
【００６１】
以上説明したように、勾配アンプ装置２３によれば、図８に示すように、Ｇx用筐体１０１、Ｇy用筐体１０２およびＧz用筐体１０３のｘ、ｙ、ｚ方向の寸法Ｘ２、Ｙ２、Ｚ２を、それぞれ４０１ｍｍ、１２９ｍｍ、７００ｍｍにすることができる。
すなわち、勾配アンプ装置２３によれば、図１２に示すように、Ｇx用筐体１０１、Ｇy用筐体１０２およびＧz用筐体１０３のｙ方向の厚みを従来に比べて７１ｍｍだけ薄くでき、小型化、並びに他の装置とのコンパティビリティを達成できる。
【００６２】
また、勾配アンプ装置２３によれば、図１２に示すように、Ｇx用筐体１０１、Ｇy用筐体１０２およびＧz用筐体１０３のｚ方向の長さを、主筐体１００の内面に向けて、従来に比べて６８．８ｍｍだけ長くできる。そのため、Ｇx用筐体１０１、Ｇy用筐体１０２およびＧz用筐体１０３のｙ方向の厚みを従来に比べて薄くしても、電流アンプ回路を構成する全ての電子部品を収容できる。
このように、Ｇx用筐体１０１、Ｇy用筐体１０２およびＧz用筐体１０３のｚ方向の長さを従来に比べて長くできるのは、図６および図８に示されるように面１２６を下方に傾けることで、ケーブル１５５＿１〜１５５＿３の曲げ量を小さくでき、Ｇx用筐体１０１、Ｇy用筐体１０２およびＧz用筐体１０３と主筐体１００の内面との間に十分な空間を確保できるためである。
【００６３】
また、勾配アンプ装置２３によれば、通気孔１２５ａが設けられた面１２５と、コネクタ１４０，１４１ａ，１４１ｂが設けられた面１２６とを図８などに示すように構成したことで、Ｇx用筐体１０１、Ｇy用筐体１０２およびＧz用筐体１０３のｙ方向の厚みを従来に比べて薄くした場合でも、十分な大きさの通気孔１２５ａを設けることができ、電流アンプ回路を十分に冷却できる。
【００６４】
本発明は上述した実施形態には限定されない。
例えば、図８に示した面１２０と面１２５との内角、並びに面１２６と面１２１との内角は、面１２５が面１２１に向いており、面１２５と面１２６とが面１２０と面１２１との間に形成される空間の外側で接合していれば特に限定されない。
また、図８に示した寸法は例示である。
【００６５】
【発明の効果】
以上説明したように、本発明によれば、勾配コイルに電流を供給する電流供給回路を収容し、厚みを従来に比べて薄くできる筐体、並びに当該筐体を用いた電流供給装置および磁気共鳴撮影装置を提供することができる。
【図面の簡単な説明】
【図１】図１は、本発明の実施形態に係る磁気共鳴撮影装置を採用した磁気共鳴撮影（ＭＲＩ）システムのレイアウトを説明するための図である。
【図２】図２は、図１に示すＭＲＩシステムの構成図である。
【図３】図３は、図２に示すマグネットシステムにおける主磁場マグネット部、勾配コイル部、およびＲＦコイルの配置構成例を説明するための図である。
【図４】図４は、図３に示す勾配コイル部を説明するための図である。
【図５】図５は、図２に示すマグネットシステムにおける撮影方法を説明するための図である。
【図６】図６は、図１および図２に示す勾配アンプ装置の側面側の構成を説明するための図である。
【図７】図７は、図６に示す勾配アンプ装置の背面を説明するための図である。
【図８】図８は、図６および図７に示すＧx用筐体の外観図である。
【図９】図９は、図６および図７に示すＧx用筐体の外観図である。
【図１０】図１０は、図８に示すＧx用筐体に収容されたＧx電流アンプ回路を説明するための図である。
【図１１】図１１は、図１に示すＭＲＩシステムの全体動作を説明するための図である。
【図１２】図１２は、図１に示す勾配アンプ装置の効果を説明するための図である。
【図１３】図１３は、従来のＧx用筐体の外観図である。
【図１４】図１４は、図１３に示すＧx用筐体と主筐体との位置関係を説明するための図である。
【符号の説明】
２２…ＲＦアンプ装置、２３…勾配アンプ装置、１６０，１６１，１６６＿Ｇx，１６６＿Ｇy，１６６＿Ｇz…ケーブル、２１２ａ，２１２ｂ…主磁場マグネット、２１３ａ，２１３ｂ…勾配コイル部、２１４ａ，２１４ｂ…ＲＦコイル部、２５０…Ｇxコイル、２５１…Ｇyコイル、２５２…Ｇzコイル、１００…主筐体、１０１…Ｇx用筐体、１０２…Ｇy用筐体、１０３…Ｇz用筐体、１１０…支柱、１１１…Ｇx電流アンプ回路、１１２…Ｇy電流アンプ回路、１１３…Ｇz電流アンプ回路、１２０〜１２６…面、１３０…コネクタ、１４０，１４０ａ，１４０ｂ…コネクタ、１５０…ヒートシンク、１５５＿１，１５５＿２，１５５＿３…ケーブル
【図１】
0004822614.tif 000002
【図２】
0004822614.tif 000003
【図３】
0004822614.tif 000004
【図４】
0004822614.tif 000005
【図５】
0004822614.tif 000006
【図６】
0004822614.tif 000007
【図７】
0004822614.tif 000008
【図８】
0004822614.tif 000009
【図９】
0004822614.tif 000010
【図１０】
0004822614.tif 000011
【図１１】
0004822614.tif 000012
【図１２】
0004822614.tif 000013
【図１３】
0004822614.tif 000014
【図１４】
0004822614.tif 000015